(57)【要約】【課題】複数の日付の日の電子番組表を同時に表示し、ユーザの利便性を高める。【解決手段】表示部（１３）と、表示制御部（１４）とを備え、表示制御部（１４）は、ユーザからの指示に応じて、複数の表示領域の少なくとも何れかの表示領域に表示させる電子番組表の表示対象領域を変更する場合に、他の表示領域に表示させる電子番組表の表示対象領域を上記変更に連動させて変更する。【選択図】図１
2019125934.tif 000002
【特許請求の範囲】
【請求項１】
表示部と、
上記表示部に含まれる複数の表示領域の各々に、電子番組表の各表示対象領域を表示する表示制御部とを備え、
上記表示制御部は、
ユーザからの指示に応じて、上記複数の表示領域の少なくとも何れかの表示領域に表示させる電子番組表の表示対象領域を変更する場合に、
上記複数の表示領域のうち、他の表示領域に表示させる電子番組表の表示対象領域を、上記少なくとも何れかの表示領域に表示させる電子番組表の表示対象領域の変更に連動させて変更する
ことを特徴とする表示装置。
【請求項２】
上記表示制御部は、
上記他の表示領域に表示させる電子番組表の表示対象領域を、上記少なくとも何れかの表示領域におけるカーソルの動きに連動させて変更する
ことを特徴とする請求項１に記載の表示装置。
【請求項３】
上記表示制御部は、
上記少なくとも何れかの表示領域においてフォーカスされた番組セルと同じタイトルの番組セルが、上記他の表示領域にも存在する場合、
当該フォーカスされた番組セルと、当該他の表示領域における同タイトルの番組セルとを強調表示する
ことを特徴とする請求項１または２に記載の表示装置。
【請求項４】
上記表示制御部は、
複数日に亘って放送される番組の番組セルを上記ユーザが選択した場合、
当該番組セルを、ある表示領域に、複数日に亘って表示すると共に、
当該ある表示領域以外の表示領域に、複数日に亘る録画予約を指示するための操作子を含む操作選択画面を表示する
ことを特徴とする請求項１〜３の何れか１項に記載の表示装置。
【請求項５】
上記表示制御部は、
複数日に亘って放送される番組であって、当日の放送が終了した番組の番組セルを上記ユーザが選択した場合、
上記ある表示領域に複数日に亘って表示した番組セルのうち、次回放送分の番組を示す番組セルを強調表示すると共に、
上記操作選択画面に、上記次回放送分の番組の録画予約を指示するための操作子を含ませる
ことを特徴とする請求項４に記載の表示装置。
【請求項６】
請求項１〜５の何れか１項に記載の表示装置を備えている
ことを特徴とするテレビジョン受像機。
【請求項７】
複数の表示領域の各々に、電子番組表の各表示対象領域を表示する表示装置の表示方法であって、
ユーザからの指示に応じて、上記複数の表示領域の少なくとも何れかの表示領域に表示させる電子番組表の表示対象領域を変更する場合に、
上記複数の表示領域のうち、他の表示領域に表示させる電子番組表の表示対象領域を、上記少なくとも何れかの表示領域に表示させる電子番組表の表示対象領域の変更に連動させて変更する工程を包含する
ことを特徴とする表示方法。
【請求項８】
請求項１〜５の何れか１項に記載の表示装置としてコンピュータを機能させるためのプログラムであって、上記表示制御部としてコンピュータを機能させるためのプログラム。
【請求項９】
請求項８に記載のプログラムを記録したコンピュータ読み取り可能な記録媒体。
【発明の詳細な説明】
【技術分野】
【０００１】
本発明は表示装置、表示方法、テレビジョン受像機、プログラム、および記録媒体に関する。
【背景技術】
【０００２】
近年、番組の検索にＥＰＧ（Electronic Program Guide；電子番組表）が用いられることが多くなっている。また、テレビジョン受像機（以下、テレビと称する）の大型化、高解像度化がすすみ、８Ｋテレビや７０インチ、８０インチのテレビも市販されるようになっており、ＥＰＧをマルチ画面で表示しても問題なく視聴できる環境になってきている。
【０００３】
例えば特許文献１には、番組を受信する複数のチューナがある場合において、番組の受信予約が可能であるかどうかを、効率良くユーザに提示する技術が開示されている。具体的には、番組表作成部は、番組の放送スケジュールを表す電子番組表を作成する。チューナ選択部は、複数のチューナから、予約番組の受信に使用するチューナを選択する。表示制御部は、電子番組表の予約番組の放送スケジュールを表す位置に、選択されたチューナの使用の予約を表す線枠を付加して予約番組表として表示させる。
【０００４】
また、特許文献１には、当日のみならず、他の日についても番組表の一部を表示する情報処理装置が開示されている。具体的には、電子番組表の上方に、例えば当日の日付である２００３年３月１７日から２００３年３月２０日まで順に、番組表の一部が、横方向に並べて表示されている。
【０００５】
また、特許文献２には、異なる提供元から提供されるコンテンツ、および異なる媒体を経由して提供されるコンテンツにアクセスする際の利便性を向上させる技術が開示されている。具体的には、コンテンツ管理装置において、表取得部は、複数のコンテンツと、当該コンテンツの提供時間帯とが対応づけられた表を取得する。視聴要求取得部は、複数のコンテンツの中から操作対象とするコンテンツの視聴要求を受け付ける。経路選択部は、視聴要求がなされたコンテンツの取得経路を選択する。操作候補生成部は、視聴要求がなされたコンテンツに対して実施する操作の選択肢のリストを、選択した取得経路をもとに生成する。
【先行技術文献】
【特許文献】
【０００６】
【特許文献１】特開２００７−０４９２６３（２００７年２月２２日公開）
【特許文献２】特開２０１６−０１５６８６（２０１６年１月２８日公開）
【発明の概要】
【発明が解決しようとする課題】
【０００７】
しかしながら、上述のような従来技術は、当日のみではなく他の日の電子番組表を表示する場合において、ユーザが他の日の同じ時間帯に何を放送しているのか確認し辛く、不便を感じる場合もある。
【０００８】
本発明は上記の問題に鑑みてなされたものであって、複数の日付の日の電子番組表を同時に表示する構成において、ユーザの利便性を高めることのできる表示装置を実現することにある。
【課題を解決するための手段】
【０００９】
上記の課題を解決するために、本発明の一態様に係る表示装置は、表示部と、上記表示部に含まれる複数の表示領域の各々に、電子番組表の各表示対象領域を表示する表示制御部とを備え、上記表示制御部は、ユーザからの指示に応じて、上記複数の表示領域の少なくとも何れかの表示領域に表示させる電子番組表の表示対象領域を変更する場合に、上記複数の表示領域のうち、他の表示領域に表示させる電子番組表の表示対象領域を、上記少なくとも何れかの表示領域に表示させる電子番組表の表示対象領域の変更に連動させて変更する。
【００１０】
また、上記の課題を解決するために、本発明の一態様に係る表示方法は、表示部と、上記表示部に含まれる複数の表示領域の各々に、電子番組表の各表示対象領域を表示する表示制御部とを備える表示装置の表示方法であって、上記表示制御部は、ユーザからの指示に応じて、上記複数の表示領域の少なくとも何れかの表示領域に表示させる電子番組表の表示対象領域を変更する場合に、上記複数の表示領域のうち、他の表示領域に表示させる電子番組表の表示対象領域を、上記少なくとも何れかの表示領域に表示させる電子番組表の表示対象領域の変更に連動させて変更する工程を包含する。
【発明の効果】
【００１１】
本発明の一態様によれば、複数の日付の日の電子番組表を同時に表示する構成において、ユーザの利便性を高めることのできる表示装置を実現できる。
【図面の簡単な説明】
【００１２】
【図１】本発明の第１実施形態に係る表示装置の要部構成を示すブロック図である。
【図２】本発明の第１実施形態に係る表示装置における電子番組表の表示対象領域変更例を説明する図である。
【図３】本発明の第１実施形態に係る表示装置を示す図である。
【図４】本発明の第１実施形態に係る電子番組表の構成例を説明する図である。
【図５】本発明の第１実施形態に係る電子番組表の他の構成例を説明する図である。
【図６】本発明の第１実施形態に係る電子番組表の表示対象領域変更例を説明する図である。
【図７】本発明の第１実施形態に係る表示装置における電子番組表の表示対象領域変更例１を示す図である。
【図８】本発明の第１実施形態に係る表示装置における電子番組表の表示対象領域変更例２を示す図である。
【図９】本発明の第１実施形態に係る表示装置における電子番組表の表示対象領域変更例３を示す図である。
【図１０】本発明の第１実施形態に係る表示装置における電子番組表の表示対象領域変更例４を示す図である。
【図１１】本発明の第２実施形態に係る表示装置における電子番組表の表示対象領域変更例１を示す図である。
【図１２】本発明の第２実施形態に係る表示装置における電子番組表の表示対象領域変更例２を示す図である。
【図１３】本発明の第２実施形態に係る表示装置における電子番組表の表示対象領域変更例３を示す図である。
【図１４】本発明に係る表示装置の表示方法のフローチャートを示す図である。
【発明を実施するための形態】
【００１３】
以下、本発明について、図１〜図１４を参照しながら詳細に説明する。
【００１４】
（実施形態１）
（表示装置の概略構成）
以下、表示装置の概略構成について、図１、図３を参照しながら説明する。
【００１５】
図１は、本実施形態１に係る表示装置１の要部構成を示すブロック図である。図１に示すように、表示装置１は受信部１１、番組情報記憶部１２、表示部１３、表示制御部１４、およびリモコン受光部１５を備える。また、表示装置１の各構成部の詳細は後述する。
【００１６】
図３は、本実施形態１に係る表示装置１を示す図である。図３に示すように、本発明に係る表示装置１は例えばテレビジョン受像機が備える表示装置であって、受信した番組情報を用いて電子番組表（以下、ＥＰＧと記す）を作成し、表示するものである。また、図３における表示領域ＴＡは上述の表示部１３の表示領域に相当する。表示領域ＴＡは必要に応じて複数の表示領域に分割可能である。
【００１７】
（表示装置の詳細構成）
以下、表示装置１の詳細構成について、図１を参照しながら説明する。
【００１８】
上述したように、表示装置１は受信部１１、番組情報記憶部１２、表示部１３、表示制御部１４、およびリモコン受光部１５を備える。また、図１に示すように、表示制御部１４は、操作情報取得部１４１、番組情報表示制御部１４２、番組コンテンツ表示制御部１４３、および切替・重畳部１４４を備える。なお、表示装置１においてテレビ番組を受信し、表示する機能については、公知の技術を用いて可能であり、その説明は省略する。
【００１９】
受信部１１は、アンテナ３を介して、テレビ番組および番組情報を受信するものである。また、受信した番組情報については、番組情報記憶部１２に格納する。
【００２０】
番組情報記憶部１２は、受信部１１が受信した番組情報を記憶しているものである。番組情報の内容としては、例えば、番組名（タイトル）、番組内容、放送時間、放送局、出演者、または番組のカテゴリー等が挙げられる。
【００２１】
表示部１３は、表示制御部１４の制御により、テレビ番組や電子番組表を表示する表示デバイスである。表示部１３の例としては、液晶ディスプレイ、有機ＥＬ（Electro Luminescence）ディスプレイ、またはプラズマディスプレイ等が挙げられる。
【００２２】
表示制御部１４は、番組情報記憶部１２に記憶されている番組情報を用いて電子番組表を作成して番組情報記憶部１２に格納する。また、表示制御部１４は、番組情報記憶部１２から番組情報や電子番組表を取得し、電子番組表に対する処理結果を表示部１３に表示させる。電子番組表の例としては、縦を時間軸、横をチャンネル番号軸としたマトリクス表示の番組表を挙げることができる。また、電子番組表は、複数の番組セル（電子番組表において、個々の番組の番組情報を含むセルを、以下では、番組セルと呼ぶ）から構成されている。また、電子番組表は、複数の日付（複数日）の番組欄を含んでいる。
【００２３】
なお、本明細書において、特にことわりがない限り、電子番組表とは、受信部１１が受信した番組情報に基づいて生成された番組表の全体のことを指すものとする。例えば、放送チャンネルが１０個存在し、受信部１１が受信した番組情報に１週間分の各チャンネルの番組情報が含まれている場合、表示制御部１４が生成する電子番組表は、１０チャンネル×１週間分の番組表となる。
【００２４】
表示制御部１４は、このような電子番組表全体から、ユーザの指示に基づいて、電子番組表の一部である表示対象領域（例えば、５チャンネル分×６時間分）を切り抜いて、表示部１３に表示させる。
【００２５】
あるいは、表示制御部１４は、ユーザの指示に基づいて、電子番組表の一部である表示対象領域（例えば、５チャンネル分×６時間分）を生成し、表示部１３に表示させる。
【００２６】
リモコン受光部１５は、リモコン２からの信号を受信し、その内容を表示制御部１４に送信するものである。
【００２７】
（表示制御部の詳細構成）
図１に示すように、表示制御部１４は、操作情報取得部１４１、番組情報表示制御部１４２、番組コンテンツ表示制御部１４３、および切替・重畳部１４４を含む。
【００２８】
操作情報取得部１４１は、ユーザがリモコン２を操作した場合、リモコン受光部１５を介してその操作情報を取得する。
【００２９】
番組情報記憶部１２に格納された番組情報が、番組情報表示制御部１４２に出力される。また、操作情報取得部１４１が取得した操作情報も番組情報表示制御部１４２に出力される。
【００３０】
番組情報表示制御部１４２は、番組情報および操作情報を参照して、電子番組表の一部である表示対象領域を生成し、生成した電子番組表の表示対象領域を切替・重畳部１４４に出力する。
【００３１】
受信部１１は、受信したテレビ番組に対し、受信処理を行った後、表示制御部１４が備える番組コンテンツ表示制御部１４３に送信する。また、操作情報取得部１４１が取得した操作情報は番組コンテンツ表示制御部１４３にも送信される。
【００３２】
番組コンテンツ表示制御部１４３は、受信部１１が取得した受信データと、操作情報取得部１４１から供給される操作情報とを参照して、操作情報が示す対象チャンネルのテレビ番組（コンテンツ）を、切替・重畳部１４４に供給する。
【００３３】
切替・重畳部１４４は、操作情報取得部１４１が取得した操作情報と、番組情報表示制御部１４２が生成した電子番組表の表示対象領域と、番組コンテンツ表示制御部１４３が供給する対象チャンネルのコンテンツとを取得する。
【００３４】
そして、切替・重畳部１４４は、電子番組表の表示対象領域を表示するのか、又は、対象チャンネルの番組コンテンツを表示するのかを、ユーザからの操作情報に基づいて切り替える。
【００３５】
表示制御部１４は、例えばユーザがリモコン２により電子番組表の表示対象領域を変更する指示を発した場合、電子番組表の他の表示対象領域も前記変更に連動して変更するように、表示部１３の表示内容を制御する。以下、その詳細を説明する。
【００３６】
（電子番組表の構成例）
図４は、番組情報表示制御部１４２が生成する電子番組表の構成例を説明する図である。図４に示すように、番組情報表示制御部１４２により、４日分のＥＰＧの各表示対象領域を、それぞれ別の表示領域にて表示するようにしている。
【００３７】
例えば、図４において右下、右上、左下、左上の順に、明日のＥＰＧ（ＥＰＧ（+１））、今日のＥＰＧ（ＥＰＧ（０））、昨日のＥＰＧ（ＥＰＧ（-１））、およびおとといのＥＰＧ（ＥＰＧ（-２））が並べられている。また、各ＥＰＧには当日の０時から２４時までの番組が表示されている。なお、以下、例えば今日のＥＰＧをＥＰＧ（０）、昨日のＥＰＧをＥＰＧ（-１）などというように、各ＥＰＧを異なる数字を用いて分別する。
【００３８】
図５は、番組情報表示制御部１４２が生成する電子番組表の他の構成例を示す図である。図４と比較すると、図５はＥＰＧ（０）内のみに移動可能なカーソルＣＵＲを備える点で異なるが、他の構成は同様である。また、図５においては、カーソルＣＵＲが現在時刻に対応する番組欄に位置している。
【００３９】
上記構成によれば、ユーザが表示領域を目視しながらカーソルＣＵＲを移動させて表示対象領域を変更することが可能となる。
【００４０】
（表示対象領域変更例の概略）
図２は、本実施形態１に係る表示装置１における電子番組表の表示対象領域変更例を説明する図である。
【００４１】
具体的には、図２に示すように、表示装置１の表示領域ＴＡは例えば４つの表示領域ＴＡ１〜ＴＡ４に分割され、また、各表示領域ＴＡ１〜ＴＡ４にそれぞれＥＰＧ（+１）〜ＥＰＧ（-２）が表示されている場合（（ＴＡ-Ａ）を参照）において、ユーザが、ＥＰＧ（+１）〜ＥＰＧ（-２）の何れかに対して、翌日のＥＰＧを表示する旨の操作を行った場合、それに連動して、番組情報表示制御部１４２は、（ＴＡ-Ｂ）に示すように、他の表示領域におけるＥＰＧを、それぞれその翌日のＥＰＧであるＥＰＧに切り替える。また、図２においては具体的な変更手段が特定されないが、例えばカーソルを用いて表示対象領域変更を行うことが可能である。また、ここでは、表示領域ＴＡは４つの表示領域ＴＡ１〜ＴＡ４に分割されると例示したが、本発明は上記構成に限定されず、例えば表示領域ＴＡは４つ以外の複数のモニタから構成されてもよい。
【００４２】
具体的には図６を参照してカーソルを用いて表示対象領域変更を行う構成を説明する。図６は、本実施形態１に係るＥＰＧの表示対象領域変更例を説明する図である。図６に示すように、ＥＰＧ（０）に表示されているカーソルＣＵＲは、ユーザからの指示に応じて、番組情報表示制御部１４２により、他の日のＥＰＧに移動可能に構成されている。すなわち、本実施形態においては、各表示領域ＴＡ１〜ＴＡ４の位置は変わらず、各表示領域ＴＡ１〜ＴＡ４に表示されるＥＰＧの表示対象領域はユーザの指示に応じて変更される。
【００４３】
（表示対象領域変更例１）
図７は、本実施形態１に係る表示装置１におけるＥＰＧの表示対象領域変更例１を示す図である。上述したように、表示装置１は表示部１３と、表示制御部１４とを備える（図１を参照）。表示制御部１４は、図７に示すように、表示部１３に含まれる複数の表示領域（例えばＴＡ１〜ＴＡ４）の各々に、電子番組表の各表示対象領域（ＥＰＧ（+１）〜ＥＰＧ（-２））を表示させる。
【００４４】
表示装置１において、ユーザが表示対象領域変更操作を行った場合、表示制御部１４は、表示対象領域変更指示に応じて、複数の表示領域（ＴＡ１〜ＴＡ４）の少なくとも何れかの表示領域（例えばＴＡ２）に表示させる電子番組表（例えばＥＰＧ（０））の表示対象領域を変更する（例えばＥＰＧ（+１）に変更）場合に、複数の表示領域（ＴＡ１〜ＴＡ４）のうち、他の表示領域（ＴＡ１、ＴＡ３、およびＴＡ４）に表示させる電子番組表（例えばＥＰＧ（+１）、ＥＰＧ（-１）およびＥＰＧ（-２））の表示対象領域を、上記少なくとも何れかの表示領域（例えばＴＡ２）に表示させる電子番組表（ＥＰＧ（０））の表示対象領域の変更（例えばＥＰＧ（+１）に変更）に連動して変更させる（ＥＰＧ（+２）、ＥＰＧ（０）およびＥＰＧ（-１）に変更）。
【００４５】
具体的には、例えばユーザからの表示対象領域変更指示に応じて、番組情報表示制御部１４２は、ＥＰＧ（０）に位置しているカーソルＣＵＲを下方（図７の下方矢印を参照）へ移動させて同表示領域ＴＡ２にＥＰＧ（+１）を表示させる。また、他の表示領域におけるＥＰＧの表示対象領域を、上記カーソルの動きに連動して切り替える（変更する）。その結果、表示装置１の表示領域ＴＡが図７のＴＡ-ＣからＴＡ-Ｄに変更される。
【００４６】
上記構成によれば、例えばユーザが他の日の同じ時間帯に何を放送しているのか確認したい場合に、今日と他の日のＥＰＧを同時に表示することができるため、ユーザが期待する番組を探しやすくなる。
【００４７】
（表示対象領域変更例２）
上記表示対象領域変更例１においてカーソルＣＵＲを下方へ移動させる構成を例示したが、カーソルＣＵＲの移動方向および表示可能な他の日は上記に限定されず、ユーザの指示に応じて定められる。
【００４８】
図８は、本実施形態１に係る表示装置１における電子番組表の表示対象領域変更例２を示す図である。
【００４９】
本表示対象領域変更例２においては、ユーザが表示対象領域をＥＰＧ（０）から二日先のＥＰＧ（+２）に変更する場合を説明する。本表示対象領域変更例２と上記表示対象領域変更例１との相違点は日時の間隔を一日から二日にしたことである。この場合、図８の表示領域ＴＡ-Ｅに示すように、例えばユーザからの表示対象領域変更指示に応じて、ＥＰＧ（０）に位置しているカーソルＣＵＲを右方（図７の右方矢印を参照）へ移動させて同表示領域ＴＡ２にＥＰＧ（+２）を表示させることが可能である。その結果、表示装置１の表示領域ＴＡが図８の表示領域ＴＡ-Ｆに変更される。
【００５０】
以上、カーソルを用いて表示対象領域をＥＰＧ（０）からＥＰＧ（+１）またはＥＰＧ（+２）に変更する例（すなわち日時の間隔は一日か二日先）を挙げたが、本発明は上記構成に限定されず、例えば表示対象領域をＥＰＧ（０）からＥＰＧ（-１）またはＥＰＧ（-２）などに変更することも可能である。
【００５１】
上記構成によっても、上記表示対象領域変更例１と同様の効果を奏することができる。
【００５２】
（表示対象領域変更例３）
以上、複数の表示領域（ＴＡ１〜ＴＡ４）に表示されるＥＰＧの表示対象領域を日時に基づいて切替える（変更する）構成を例示したが、本発明は上記構成に限定されず、例えば複数の表示領域（ＴＡ１〜ＴＡ４）に表示されるチャンネルを連動して変更することも可能である。
【００５３】
図９は、本実施形態１に係る表示装置１における電子番組表の表示対象領域変更例３を示す図である。図９の表示領域ＴＡ-Ｇに示すように、複数の表示領域（ＴＡ１〜ＴＡ４）に表示可能なチャンネルがチャンネルＡ〜チャンネルＤの４つであった場合に、例えばユーザがチャンネルＥの番組を確認したい場合に、ＥＰＧ（０）に位置しているカーソルＣＵＲを右方（図９の右方矢印を参照）へ移動させて確認することが可能である。その結果、表示装置１の表示領域ＴＡが図９の表示領域ＴＡ-Ｈに変更される。また、図９の表示領域ＴＡ-Ｈに示すように、表示領域ＴＡ２におけるチャンネルがチャンネルＥに変更された場合、他の表示領域ＴＡ１、ＴＡ３、およびＴＡ４に表示されるＥＰＧの表示対象領域も連動してチャンネルＥの番組を表示するようになる。そして、この場合、例えば複数の表示領域（ＴＡ１〜ＴＡ４）に表示可能なチャンネルが４つであるため、チャンネルＡの番組が表示されなくなる。
【００５４】
上記構成によれば、例えばユーザが、表示されているある日のＥＰＧ内の、表示されていないチャンネル（例えばチャンネルＥ）を確認したい場合に、上記ある日のＥＰＧ内にカーソルＣＵＲを移動させることにより可能となり、ユーザが期待する番組をより探しやすくなる。
【００５５】
（表示対象領域変更例４）
図１０は、本実施形態１に係る表示装置における電子番組表の表示対象領域変更例４を示す図である。例えば、表示領域ＴＡ２においてフォーカスされた番組セル（例えば「朝の連ドラ」）と同じタイトルの番組セルが、他の表示領域ＴＡ１、ＴＡ３、およびＴＡ４にも存在する場合、番組情報表示制御部１４２は、当該フォーカスされた番組セルと、当該他の表示対象領域における同タイトルの番組セルとを強調表示するようにしてもよい。
【００５６】
具体的には、図１０の表示領域ＴＡ-Ｉに示すように、カーソルＣＵＲが位置しているＥＰＧの番組セルが他の日のＥＰＧにもある場合（例えばＥＰＧ（０）における番組セル「朝の連ドラ」）、図１０の表示領域ＴＡ-Ｉに示すように、カーソルＣＵＲが図１０の下方矢印が示すように上記番組セル「朝の連ドラ」に移動した場合に、他の日のＥＰＧも含めて当該番組セル「朝の連ドラ」の背景色が変わるようにしてもよい。
【００５７】
上記構成によれば、例えば表示されているある日のＥＰＧ内の番組セルが他の日にもある場合、他の日のＥＰＧも含めて当該番組セルの背景色が変わるようなるので、ユーザが期待する番組が発見しやすくなる。
【００５８】
以上、表示対象領域の変更を表示対象領域の切替に中心に説明したが、表示対象領域の変更は上記構成に限定されず、例えば表示対象領域に重畳表示も可能である。
【００５９】
（実施形態２）
（表示対象領域変更例１）
図１１は、本実施形態２に係る表示装置１における電子番組表の表示対象領域変更例１を示す図である。例えば、複数日（例えば１週間）に亘って放送される番組の番組セル（例えば「朝の連ドラ」）をユーザが選択した場合、番組情報表示制御部１４２は、当該番組セルを、ある表示領域（例えば表示領域ＴＡ４）に、複数日に亘って表示（重畳表示）すると共に、当該ある表示領域以外の表示領域（例えば表示領域ＴＡ３）に、複数日に亘る録画予約を指示するための操作子を含む操作選択画面を表示（重畳表示）するようにしてもよい。
【００６０】
具体的には、図１１のＴＡ４では、番組情報表示制御部１４２は、図１１のＴＡ−ＬのＴＡ４に示すように、ユーザが選択した番組セルと同じタイトルの番組セルを、複数日（図１１の例では、１週間分）に亘って並べて表示する。その際、一例として、番組情報表示制御部１４２は、図１１のＴＡ−ＬのＴＡ４に示すように、各日付において、１チャンネル分かつ当該番組セルを含む所定の時間帯のみ（例えば６時間分）を表示する構成とすることができる。なお、図１１の例では、ＴＡ４に１週間分の番組セルを並べて表示する構成を例示したが、これは本実施形態を限定するものではない。例えば、１ヶ月分の番組セルを縦横に並べて表示する構成としてもよい。
【００６１】
また、現在時刻は１０日のまだ番組は始まっていない時刻なので１０日の当該番組の録画が可能である。
【００６２】
上記構成によれば、ユーザは、当該番組が、複数日（例えば１週間）に亘って放送されていることを容易に認識することができる。
【００６３】
（表示対象領域変更例２）
図１２は、本実施形態２に係る表示装置における電子番組表の表示対象領域変更例２を示す図である。例えば、複数日（例えば１週間）に亘って放送される番組であって、当日の放送が終了した番組の番組セルをユーザが選択した場合、番組情報表示制御部１４２は、ある表示領域（例えば表示領域ＴＡ４）に複数日に亘って表示した番組セルのうち、次回放送分の番組を示す番組セル（例えば１１日を示す番組セル）を強調表示すると共に、操作選択画面に、次回放送分の番組の録画予約を指示するための操作子（例えば「次回だけ録画」）を含ませるようにしてもよい。
【００６４】
具体的には、図１２においては、例えば１０日から１５日まで放送している番組で１０日の放送は既に終わった時間帯において１０日の番組セルを選択した場合、何れかの一表示領域（例えば表示領域ＴＡ４）に一週間分の当該番組の番組欄の重畳表示を行い、複数日録画と次回だけ録画の選択肢が現れる。次回だけ録画にカーソルがあたると次回の１１日のところに色がつきその日だけの録画であることがわかりやすく表示される。
【００６５】
上記構成によれば、例えばユーザが連続ドラマのような番組を録画したい場合、ある表示領域に表示された番組表に基づいて選択することができるので、ユーザが期待する番組をより録画しやすくなる。
【００６６】
（表示対象領域変更例３）
図１３は、本実施形態２に係る表示装置における電子番組表の表示対象領域変更例３を示す図である。上記表示対象領域変更例２に続き、ユーザが「次回だけ録画」を選択した場合、当該次回に該当する番組の番組セルに、当該次回に該当する番組が録画予約済であることを、識別可能に表示する。一例として図１３のＴＡ−ＯにおけるＴＡ３に示すように、当該次回に該当する番組が録画予約済であることを、当該番組セルにアイコンを用いて識別可能に表示する構成としてもよい。
【００６７】
上記構成によれば、例えばユーザが期待する番組を録画予約したか否かがわかりやすくなる。
【００６８】
（表示方法）
以上、本発明に係る表示装置の構成および表示対象領域変更例を説明した。以上の説明からも理解されるように、本実施形態に係る表示方法は、一例として、複数の表示領域の各々に、電子番組表の各表示対象領域を表示する表示装置の表示方法であって、ユーザからの指示に応じて、上記複数の表示領域の少なくとも何れかの表示領域に表示させる電子番組表の表示対象領域を変更する場合に、上記複数の表示領域のうち、他の表示領域に表示させる電子番組表の表示対象領域を、上記少なくとも何れかの表示領域に表示させる電子番組表の表示対象領域の変更に連動させて変更する工程を包含する。
【００６９】
以下、図１４を参照して上記表示装置における表示方法を具体的に説明する。
【００７０】
図１４は、本発明に係る表示装置１の表示方法のフローチャートを示す図である。
【００７１】
（ステップＳ２）
ステップＳ２において、表示制御部１４が備える操作情報取得部１４１によりユーザの操作情報を取得する。
【００７２】
（ステップＳ４）
ステップＳ４において、表示制御部１４が、表示制御部１４にて取得した操作情報が表示対象領域変更に関するものか否かを判断する。
【００７３】
（ステップＳ６）
上記の判断の結果は操作情報が表示対象領域変更に関するものである（Ｓ４：ＹＥＳ）の場合、ステップＳ６において、表示対象領域をユーザの指示に応じて連動して変更する。各表示領域における具体的な表示対象領域の変更処理については、すでに説明したのでここでは説明を省略する。
【００７４】
その一方で、上記の判断の結果は操作情報が表示対象領域変更に関するものでない（Ｓ４：ＮＯ）の場合、上記フローチャートに基づく処理を終了する。
【００７５】
（ステップＳ８）
ステップＳ８において、表示制御部１４は表示部１３に変更後の表示対象領域を切替または重畳して表示させる。
【００７６】
〔ソフトウェアによる実現例〕
表示装置１の制御ブロック（特に表示制御部１４）は、集積回路（ＩＣチップ）等に形成された論理回路（ハードウェア）によって実現してもよいし、ソフトウェアによって実現してもよい。
【００７７】
後者の場合、表示装置１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７８】
〔まとめ〕
本発明の態様１に係る表示装置１は、表示部１３と、上記表示部に含まれる複数の表示領域（例えば表示領域ＴＡ１〜ＴＡ４）の各々に、電子番組表の各表示対象領域を表示する表示制御部１４とを備え、上記表示制御部は、ユーザからの指示に応じて、上記複数の表示領域（例えばＴＡ１〜ＴＡ４）の少なくとも何れかの表示領域（例えばＴＡ２）に表示させる電子番組表の表示対象領域を変更する場合に、上記複数の表示領域のうち、他の表示領域（例えばＴＡ１、ＴＡ３、およびＴＡ４）に表示させる電子番組表の表示対象領域を、上記少なくとも何れかの表示領域に表示させる電子番組表の表示対象領域の変更に連動させて変更する。
【００７９】
上記の構成によれば、ユーザからの指示に応じてある表示対象領域を変更する場合に、他の表示対象領域を上記ある表示対象領域の変更に連動させて変更するため、ユーザが期待する番組を探しやすくなる。
【００８０】
本発明の態様２に係る表示装置１は、上記態様１において、表示制御部１４は、他の表示領域に表示させる電子番組表の表示対象領域を、上記少なくとも何れかの表示領域におけるカーソルの動きに連動させて変更してもよい。
【００８１】
上記の構成によれば、ユーザが表示領域を目視しながらカーソルＣＵＲを移動させて表示対象領域を変更することができる。
【００８２】
本発明の態様３に係る表示装置１は、上記態様１または２において、表示制御部１４は、
少なくとも何れかの表示領域（ＴＡ２）においてフォーカスされた番組セル（番組「朝の連ドラ」を示す番組セル）と同じタイトルの番組セルが、上記他の表示領域（ＴＡ１、ＴＡ３及びＴＡ４など）にも存在する場合、当該フォーカスされた番組セルと、当該他の表示領域における同タイトルの番組セルとを強調表示してもよい。
【００８３】
上記構成によれば、例えば表示されているある日のＥＰＧ内の番組セルが他の日にもある場合、他の日のＥＰＧも含めて当該番組セルの背景色が変わるようなるので、ユーザが期待する番組が発見しやすくなる。
【００８４】
本発明の態様４に係る表示装置１は、上記態様１〜３の何れか１態様において、表示制御部は１４、複数日（１週間）に亘って放送される番組の番組セルを上記ユーザが選択した場合、当該番組セルを、ある表示領域（ＴＡ４）に、複数日に亘って表示すると共に、当該ある表示領域以外の表示領域（ＴＡ３）に、複数日に亘る録画予約を指示するための操作子を含む操作選択画面を表示してもよい。
【００８５】
上記構成によれば、ユーザは、当該番組が、複数日（例えば１週間）に亘って放送されていることを容易に認識することができる。
【００８６】
本発明の態様５に係る表示装置１は、上記態様４において、表示制御部１４は、複数日（１週間）に亘って放送される番組であって、当日の放送が終了した番組の番組セル（１０日の放送が終了した番組の番組セル）を上記ユーザが選択した場合、上記ある表示領域に複数日に亘って表示した番組セルのうち、次回放送分の番組を示す番組セルを強調表示すると共に、上記操作選択画面に、上記次回放送分の番組の録画予約を指示するための操作子を含ませてもよい。
【００８７】
上記構成によれば、例えばユーザが連続ドラマのような番組を録画したい場合、ある表示領域に表示された番組表に基づいて選択することができるので、ユーザが期待する番組をより録画しやすくなる。
【００８８】
本発明の態様６に係るテレビジョン受像機は、態様１〜５の何れか１態様に記載の表示装置を備えている。
【００８９】
上記構成によれば、上記態様１と同様な効果を奏することができる。
【００９０】
本発明の態様７に係る表示方法は、複数の表示領域の各々に、電子番組表の各表示対象領域を表示する表示装置の表示方法であって、ユーザからの指示に応じて、上記複数の表示領域の少なくとも何れかの表示領域に表示させる電子番組表の表示対象領域を変更する場合に、上記複数の表示領域のうち、他の表示領域に表示させる電子番組表の表示対象領域を、上記少なくとも何れかの表示領域に表示させる電子番組表の表示対象領域の変更に連動させて変更する工程を包含する。
【００９１】
上記構成によれば、上記態様１と同様な効果を奏することができる。
【００９２】
本発明の態様８に係るプログラムは、態様１〜５の何れか１態様に記載の表示装置としてコンピュータを機能させるためのプログラムであって、上記表示制御部としてコンピュータを機能させる。
【００９３】
本発明の態様９に係る記録媒体は、態様８に記載のプログラムを記録したコンピュータ読み取り可能な記録媒体である。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９５】
１  表示装置（テレビジョン受像機）
１１  受信部
１２  番組情報記憶部
１３  表示部
１４  表示制御部
１４１  操作情報取得部
１４２  番組情報表示制御部
１４３  番組コンテンツ表示制御部
１４４  切替・重畳部
１５  リモコン受光部
２  リモコン
３  アンテナ
ＴＡ、ＴＡ１、ＴＡ２、ＴＡ３、ＴＡ４、ＴＡ-Ａ、ＴＡ-Ｂ、ＴＡ-Ｃ、ＴＡ-Ｄ、ＴＡ-Ｅ、ＴＡ-Ｆ、ＴＡ-Ｇ、ＴＡ-Ｈ、ＴＡ-Ｉ、ＴＡ-Ｊ、ＴＡ-Ｋ、ＴＡ-Ｌ、ＴＡ-Ｍ、ＴＡ-Ｎ、ＴＡ-Ｏ  表示領域
【図１】
2019125934.tif 000003
【図２】
2019125934.tif 000004
【図３】
2019125934.tif 000005
【図４】
2019125934.tif 000006
【図５】
2019125934.tif 000007
【図６】
2019125934.tif 000008
【図７】
2019125934.tif 000009
【図８】
2019125934.tif 000010
【図９】
2019125934.tif 000011
【図１０】
2019125934.tif 000012
【図１１】
2019125934.tif 000013
【図１２】
2019125934.tif 000014
【図１３】
2019125934.tif 000015
【図１４】
2019125934.tif 000016